(57)【要約】【課題】様々な給水源からの給水も可能として経済性を向上したウォーターディスペンサーの提供。【解決手段】ウォーターディスペンサーは、筐体１０と、筐体１０内に配置され、冷水を貯蔵する冷水タンク２３と、筐体１０の上面側に配置され、給水源の注水口を着脱自在に取付けることにより給水源の注水口と連通する給水孔４８を有すると共に、給水孔４８と冷水タンク２３とを連通し、給水源の注水口を取付けた状態で給水源と冷水タンク２３とを給水源の注水口及び給水孔４８を介して連通し、給水源の水を冷水タンク２３内に重力により供給する給水通路と、筐体１０の上面に設けられ、少なくとも複数種類の給水源を選択的に連結して、給水通路に当該給水源からの給水を供給する給水部とを備える。【選択図】図１
2007254022.tif 000002
【特許請求の範囲】
【請求項１】
筐体と、
前記筐体内に配置され、冷水を貯蔵する冷水タンクと、
前記筐体の上面側に配置され、給水源の注水口を着脱自在に取付けることにより前記給水源の注水口と連通する給水孔を有すると共に、前記給水孔と前記冷水タンクとを連通し、前記給水源の注水口を取付けた状態で前記給水源と前記冷水タンクとを前記注水口及び前記給水孔を介して連通し、前記給水源の水を前記冷水タンク内に重力により供給する給水通路と、
前記筐体の上面に設けられ、少なくとも複数種類の給水源を選択的に連結して、前記給水通路に当該給水源からの給水を供給する給水部と
を備えることを特徴とするウォーターディスペンサー。
【請求項２】
前記給水源として、大型ボトル、中型ボトル及び小型ボトルのいずれかの給水ボトルを選択的に使用自在としたことを特徴とする請求項１記載のウォーターディスペンサー。
【請求項３】
前記大型ボトルは、先端に円形の開口を形成した所定口径の円筒状をなす注水口を有すると共に、当該注水口の基端外周面に連続してテーパー状の傾斜面を形成した大型容器状をなして内部に水を充填し、前記注水口の内部に弁体を軸方向に往復移動自在に装着して前記弁体を前記注水口の内部に向かって軸方向に押圧することにより前記注水口を開放して内部の水を外部に給水するカスタムサイズのボトルであり、
前記中型ボトルは、前記大型ボトルの注水口の口径より小さい口径の円筒状をなして先端に円形の開口を形成し、かつ、その外周面に雄ねじを形成した注水口を有すると共に、当該注水口の基端外周面に連続してテーパー状の傾斜面を形成した中型容器状をなして内部に水を充填するカスタムサイズのボトルであり、
前記小型ボトルは、前記中型ボトルの注水口の口径より小さい口径の円筒状をなして先端に円形の開口を形成し、かつ、その外周面に雄ねじを形成した注水口を有すると共に、当該注水口の基端外周面に連続してテーパー状の傾斜面を形成した市販の飲料容器として使用される標準規格サイズのボトルであり、
更に、前記筐体の上面中央部に装着され、前記大型ボトルの注水口の外径と同一の内径を有して前記筐体の内部の前記冷水タンクに向かって延びる円筒状をなす円筒部と、前記円筒部の上端側に連続して一体形成され、前記給水ボトルの傾斜面に対応するテーパー状をなす傾斜面とを有する差込口本体と、
前記差込口本体内部に同軸状に配置されて、前記差込口本体の円筒部より小径で、かつ、前記大型ボトルの注水口の先端の円形の開口と同一または若干小さい外径の円筒状をなして、前記筐体の内部の前記冷水タンクに向かって延び、一端に給水孔を形成すると共に他端に前記筐体内の冷水タンクに対向する開口を形成した給水棒と、
前記中型ボトルの注水口の外周面の雄ねじを螺入自在な雌ねじを有し、前記中型ボトルの注水口を一端から前記雌ねじに螺入して前記注水口に固定されると共に、前記差込口本体の円筒部の内径と同一の外径を有する円筒状をなし、前記差込口本体の円筒部の内周面に着脱自在に密嵌自在な嵌合筒部と、前記嵌合筒部の他端から突出するよう前記嵌合筒部と同軸状に延びると共に、前記給水棒の外径に対応する内径を有する円筒状をなし、内周面により前記給水棒を着脱自在に密嵌自在な挿着筒部と、前記嵌合筒部の一端から突出するよう前記嵌合筒部と同軸状に延びると共に、前記中型ボトルの注水口内に挿入自在な筒状をなし、その先端に弁座を形成する挿入部と、前記挿入部の軸心に沿って往復移動自在に取付けた芯棒と、前記芯棒の一端に固着されて前記弁座に着座する弁体と、前記芯棒の他端側に配置され、常には前記弁体が前記弁座に着座するよう付勢する弾性体とを含む中型ボトル用アダプターと、
前記小型ボトルの注水口の外周面の雄ねじを螺入自在な雌ねじを有し、前記小型ボトルの注水口を一端から前記雌ねじに螺入して前記注水口に固定されると共に、前記差込口本体の円筒部の内径と同一の外径を有する円筒状をなし、前記差込口本体の円筒部の内周面に着脱自在に密嵌自在な嵌合筒部と、前記嵌合筒部の他端から突出するよう前記嵌合筒部と同軸状に延びると共に、前記給水棒の外径に対応する内径を有する円筒状をなし、内周面により前記給水棒を着脱自在に密嵌自在な挿着筒部と、前記嵌合筒部の一端から突出するよう前記嵌合筒部と同軸状に延びると共に、前記小型ボトルの注水口内に挿入自在な筒状をなし、その先端に弁座を形成する挿入部と、前記挿入部の軸心に沿って往復移動自在に取付けた芯棒と、前記芯棒の一端に固着されて前記弁座に着座する弁体と、前記芯棒の他端側に配置され、常には前記弁体が前記弁座に着座するよう付勢する弾性体とを含む小型ボトル用アダプターとを備え、
前記大型ボトルの場合は、その注水口の円形の開口から内部に前記給水棒を差込むことにより、前記給水棒の先端が前記注水口の内部の弁体を押圧して弁を弁座から離間して前記注水口を開放状態とし、これにより、前記大型ボトルの内部の水が前記給水棒の給水孔から前記給水棒内に自重により流入し、前記給水棒を介して前記冷水タンク内に自重により流入するようにし、
前記中型ボトルの場合は、その注水口の雄ねじを前記中型ボトル用アダプターの嵌合筒部の雌ねじに螺入することにより、中型ボトルの注水口に中型ボトル用アダプターを装着して、前記中型ボトル用アダプターの弁体及び弁座を前記中型ボトルの注水口から内部に配置し、前記中型ボトル用アダプターの挿着筒部内に前記給水棒を挿着することにより、前記給水棒の先端によって前記中型ボトル用アダプターの芯棒の基端を押圧して、前記芯棒を前記弾性体の付勢力に抗して軸方向に移動することにより、前記中型ボトル用アダプターの弁体を前記弁座から離間して開放し、これにより、前記中型ボトルの内部の水が前記給水棒の給水孔から前記給水棒内に自重により流入し、前記給水棒を介して前記冷水タンク内に自重により流入するようにし、
前記小型ボトルの場合は、その注水口の雄ねじを前記小型ボトル用アダプターの嵌合筒部の雌ねじに螺入することにより、小型ボトルの注水口に小型ボトル用アダプターを装着して、前記小型ボトル用アダプターの弁体及び弁座を前記小型ボトルの注水口から内部に配置し、前記小型ボトル用アダプターの挿着筒部内に前記給水棒を挿着することにより、前記給水棒の先端によって前記小型ボトル用アダプターの芯棒の基端を押圧して、前記芯棒を前記弾性体の付勢力に抗して軸方向に移動することにより、前記小型ボトル用アダプターの弁体を前記弁座から離間して開放し、これにより、前記小型ボトルの内部の水が前記給水棒の給水孔から前記給水棒内に自重により流入し、前記給水棒を介して前記冷水タンク内に自重により流入するようにした
ことを特徴とする請求項２記載のウォーターディスペンサー。
【請求項４】
更に、前記差込口本体の上端の開口に着脱自在に固定されて当該開口を閉塞する蓋部と、前記蓋部に設けられて導水管を連結すると共に前記導水管からの流水を選択的に導入及び遮断するよう開閉制御される弁部材を内装した導水部と、前記蓋部の内面側に取付けられて上下方向に傾動自在なフロートと、前記フロートの傾動状態に応じて前記導水部の弁部材の開閉を制御する制御回路とを含む貯水部材を備え、
前記貯水部材の導水部に導水管を介して水道管の吐水口または浄水器の吐水口を接続することにより、前記給水源として、水道管からの水道水及び浄水器からの浄水のいずれかを選択的に使用自在とし、前記水道管からの水道水及び浄水器からの浄水が前記差込口本体の内部に所定水位貯留されたときに、前記フロートが所定の傾動状態となることで前記制御回路により前記導水部の弁部材を閉じて、前記水道管からの水道水及び浄水器からの浄水を遮断するようにしたことを特徴とする請求項３記載のウォーターディスペンサー。
【請求項５】
更に、前記給水ボトルの内部に投入される脱塩素剤カートリッジ及びミネラル剤カートリッジの少なくともいずれか一つを備え、
前記中型ボトルまたは前記小型ボトルの内部に前記脱塩素剤カートリッジ及びミネラル剤カートリッジの少なくともいずれか一つを投入した状態で水栓の吐水口からの水道水を前記給水ボトルの注水口から内部に充填すると共に、この状態で前記中型ボトルまたは前記小型ボトルの注水口に前記中型ボトル用アダプターまたは前記小型ボトル用アダプターを装着し、当該中型ボトル用アダプターまたは小型ボトル用アダプターを介して前記中型ボトルまたは前記小型ボトルを前記差込口本体内に装着するようにしたことを特徴とする請求項３記載のウォーターディスペンサー。
【請求項６】
更に、前記筐体内において前記給水通路の流水経路上に配置され、前記給水通路の内部と磁気的に接続されて、前記給水通路を通過する水を磁気処理する磁気部材を備えることを特徴とする請求項１記載のウォーターディスペンサー。
【請求項７】
前記磁気部材は、前記給水通路における前記冷水タンクと直近の端部位置において前記給水通路の軸心上に配置され、前記給水通路の直径より幅狭の通水路を有して、前記通水路の幅方向両側に当該通水路の断面積に応じた磁力の磁石を配置したものであることを特徴とする請求項６記載のウォーターディスペンサー。
【請求項８】
前記給水通路は、先端に前記給水孔を形成した略円筒状の差込筒部と、前記差込筒部の基端に同軸状となるよう一体的に設けられ、底面を開口した短筒状の装着筒部とを有する略段付筒状の給水棒からなり、
前記磁気部材は、前記給水棒の装着筒部の内部に嵌合保持されると共に、前記通水路をスロット状の孔として軸方向に貫通させ、前記通水路の幅方向両側に対向して、それぞれ、前記磁石を挿入保持する収容凹部を形成し、当該収容凹部にそれぞれ前記磁石を着脱自在に挿入して収容保持し、前記収容凹部に収容保持した前記磁石が前記水通路の断面積の一部と重複するようにしたことを特徴とする請求項７記載のウォーターディスペンサー。
磁気処理効果がより一層高まる。
【請求項９】
更に、前記冷水タンクの下流側に接続され、前記冷水タンク内の水を自重により内部に導入する温水タンクと、
円形トレイ状をなすトレイ部、前記トレイ部の中心部から垂下する両端を開口した筒状の導水筒部、並びに、前記トレイ部に配置された抗菌剤を含む分水盤とを備え、
前記分水盤を前記冷水タンク内に収容し、前記給水通路から前記冷水タンク内に導入した前記給水源の給水を、前記冷水タンク内に貯留することなく前記分水盤の導水筒部を介して通過させて前記温水タンクに導入する共に、前記給水通路からの給水を前記トレイ部により向きを変えて分流して、前記トレイ部の導水孔から前記冷水タンク内に導入して貯留する共に、前記トレイ部に配置した抗菌剤により抗菌処理して前記冷水タンク内に導入して貯留することを特徴とする請求項１または請求項６乃至８のいずれか１項記載のウォーターディスペンサー。
【請求項１０】
更に、前記冷水タンクの下流側に接続され、前記冷水タンク内の水を自重により内部に導入する温水タンクと、
複数の導水孔及び前記複数の導水孔を２分するように延びる隔壁を有する円形トレイ状をなすトレイ部、前記トレイ部の中心部から垂下する両端を開口した筒状の導水筒部、並びに、前記トレイ部の複数の導水孔の少なくとも一つに挿着して配置されて内部に抗菌剤を収容する抗菌ケースを含む分水盤とを備え、
前記分水盤を前記冷水タンク内に収容し、前記給水通路から前記冷水タンク内に導入した前記給水源の給水を、前記冷水タンク内に貯留することなく前記分水盤の導水筒部を介して通過させて前記温水タンクに導入する共に、前記給水通路からの給水を前記トレイ部により向きを変えて前記トレイ部の隔壁により分流して、前記複数の導水孔のうち前記抗菌ケースを設けない側の導水孔と前記抗菌ケースを設ける側の導水孔とに案内し、前記トレイ部の複数の導水孔のうち前記抗菌ケースを設けない導水孔から直接的に前記冷水タンク内に導入して貯留する共に、前記抗菌ケースを設けた導水孔からは前記抗菌ケース内の抗菌剤により抗菌処理して前記冷水タンク内に導入して貯留することを特徴とする請求項１または請求項６乃至８のいずれか１項記載のウォーターディスペンサー。
【請求項１１】
更に、前記筐体の底面に固着され、ウォーターディスペンサーの全重量に応じた面積及び厚みを有する耐震シートを備える請求項１記載のウォーターディスペンサー。
【発明の詳細な説明】
【技術分野】
【０００１】
本発明は、例えば屋内等の任意の場所に設置されて冷水や温水を提供するウォーターディスペンサーに関する。
【背景技術】
【０００２】
一般に、ウォーターディスペンサー（ウォーターサーバーとも呼ばれる）は、家庭や会社の屋内等の所定の場所に設置されて、家人等に冷水や温水（湯）を選択的に提供するものである。通常のウォーターディスペンサーは、浄水や活水やミネラルウォーターを充填した大径ボトル状の水容器を逆向き（口を下方にした状態）として、その口部を筐体の上端面に設けた差込口に差し込むことにより、内部の浄水や活水やミネラルウォーターを差込口から筐体内部の冷水タンクに給水して貯留する。冷水タンクに貯留された水は一般にペルチェ方式により冷却される。また、水容器内の水は、ウォーターディスペンサーの差込口から温水タンクへも給水して貯留され、加熱されて温水とされる。更に、水容器内の水がなくなると、古い（空となった）水容器をウォーターディスペンサーの差込口から引き抜いて取り外し、新しい水容器をウォーターディスペンサーの差込口に差し込んで使用する。なお、従来のウォーターディスペンサーまたはウォーターサーバーを開示したものとして、例えば、特許文献１及び特許文献２に記載の技術がある。
【特許文献１】特開２００３−１２８１９４号公報
【特許文献２】特開２００６−２７６６１号公報
【０００３】
特許文献１には、空気中の雑菌の侵入がない、安全性の高い飲料水を提供することができるとされた飲料水サーバーが開示されている。この飲料水サーバーは、飲料水供給器と、この飲料水供給器から供給される飲料水を給水パイプを介して貯溜する密閉式の冷水タンクと、この冷水タンクに設けられ冷水タンク内の飲料水を冷却する冷却装置と、冷水タンクの上部に設けられた空気抜きバルブ、及び前記冷水タンクに設けられた冷水抽出弁とからなり、冷水を抽出する際に、飲料水は、空気に触れることがなく、空気中の雑菌の侵入がない飲料水を抽出することができるとされている。
【０００４】
また、特許文献２には、飲料容器の交換作業時においても容器内の飲料に細菌等が侵入することを効率的に防止することができるとされた飲料サーバーが開示されている。この飲料サーバーは、口金部を下方に向け配置された飲料容器に接続する接続部であって、口金部に挿入するために尖鋭形状に形成され、飲料を流通させる流通孔が形成された先端部と、先端部側に殺菌用流体を噴出するための殺菌用パイプと、口金部の内周面との間を封止する封止部材と、飲料容器内の飲料を分岐して流通させる第１分岐流通路と、飲料容器内の飲料を分岐して流通させる第２分岐流通路とを備えた接続部と、第１分岐流通路から供給された飲料を注出するための低温飲料注出コックと、第２分岐流通路に接続され、飲料容器から供給された飲料を加熱した状態で貯留する高温タンクと、高温タンクに設置された加熱器と、高温タンク内の飲料を注出するための高温飲料注出コックとを有する。
【発明の開示】
【発明が解決しようとする課題】
【０００５】
しかし、特許文献１及び特許文献２に記載の技術も含め、従来のウォーターディスペンサーは、小型と謳われているものでも比較的大型で、特に、家庭内に設置して使用するには不便な点も考えられる。また、水容器も１２リットル等の大型であり、この場合、重量は約１２ｋｇとなり、ウォーターディスペンサーへの装着時に、水容器を持ち上げて逆さにし、その口をウォーターディスペンサーの差込口に差し込むには、相当の腕力を要し、特に老人や女子等の力の弱い者にとっては取扱いの点で改善する余地がある。更に、水容器が使い捨てであり、水容器内の水がなくなるたびに新品の（浄水等を充填した）水容器を購入する必要があるため、費用の点でも改善する余地がある。加えて、水容器に充填される水にはカルシウム等のミネラルが含まれるため、使用に伴い、水中のミネラルがウォーターディスペンサーの冷水タンクや温水タンク内に強固に沈着し、その洗浄や除去等が困難になる可能性がある。
【０００６】
そこで、本発明は、コンパクトな構造でありながら十分な冷水及び温水生成能力を有し、また、各種サイズの給水ボトルを選択的に使用可能で、かつ、当該給水ボトルの再利用も可能とすることにより、その取扱性を改良してオフィスや家庭において手軽に利用することができるようにし、更に、水容器以外にも水道水等の様々な給水源からの給水も可能として経済性を向上し、加えて、冷水タンクや温水タンク等の流水経路の各部分へのミネラル等の付着や沈着を効果的に防止することができるウォーターディスペンサーの提供を課題とする。
【課題を解決するための手段】
【０００７】
請求項１に係るウォーターディスペンサーは、筐体と、前記筐体内に配置され、冷水を貯蔵する冷水タンクと、前記筐体の上面側に配置され、給水源の注水口を着脱自在に取付けることにより前記給水源の注水口と連通する給水孔を有すると共に、前記給水孔と前記冷水タンクとを連通し、前記給水源の注水口を取付けた状態で前記給水源と前記冷水タンクとを前記注水口及び前記給水孔を介して連通し、前記給水源の水を前記冷水タンク内に重力により供給する給水通路と、前記筐体の上面に設けられ、少なくとも複数種類の給水源を選択的に連結して、前記給水通路に当該給水源からの給水を供給する給水部とを備える。
【０００８】
請求項２に係るウォーターディスペンサーは、請求項１の構成において、前記給水源として、大型ボトル、中型ボトル及び小型ボトルのいずれかの給水ボトルを選択的に使用自在とした。
【０００９】
請求項３に係るウォーターディスペンサーは、請求項２の構成において、前記大型ボトルは、先端に円形の開口を形成した所定口径の円筒状をなす注水口を有すると共に、当該注水口の基端外周面に連続してテーパー状の傾斜面を形成した大型容器状をなして内部に水を充填し、前記注水口の内部に弁体を軸方向に往復移動自在に装着して前記弁体を前記注水口の内部に向かって軸方向に押圧することにより前記注水口を開放して内部の水を外部に給水するカスタムサイズのボトルである。また、前記中型ボトルは、前記大型ボトルの注水口の口径より小さい口径の円筒状をなして先端に円形の開口を形成し、かつ、その外周面に雄ねじを形成した注水口を有すると共に、当該注水口の基端外周面に連続してテーパー状の傾斜面を形成した中型容器状をなして内部に水を充填するカスタムサイズのボトルである。更に、前記小型ボトルは、前記中型ボトルの注水口の口径より小さい口径の円筒状をなして先端に円形の開口を形成し、かつ、その外周面に雄ねじを形成した注水口を有すると共に、当該注水口の基端外周面に連続してテーパー状の傾斜面を形成した市販の飲料容器として使用される標準規格サイズのボトルである。更にまた、ウォーターディスペンサーは、前記筐体の上面中央部に装着され、前記大型ボトルの注水口の外径と同一の内径を有して前記筐体の内部の前記冷水タンクに向かって延びる円筒状をなす円筒部と、前記円筒部の上端側に連続して一体形成され、前記給水ボトルの傾斜面に対応するテーパー状をなす傾斜面とを有する差込口本体と、前記差込口本体内部に同軸状に配置されて、前記差込口本体の円筒部より小径で、かつ、前記大型ボトルの注水口の先端の円形の開口と同一または若干小さい外径の円筒状をなして、前記筐体の内部の前記冷水タンクに向かって延び、一端に給水孔を形成すると共に他端に前記筐体内の冷水タンクに対向する開口を形成した給水棒と、前記中型ボトルの注水口の外周面の雄ねじを螺入自在な雌ねじを有し、前記中型ボトルの注水口を一端から前記雌ねじに螺入して前記注水口に固定されると共に、前記差込口本体の円筒部の内径と同一の外径を有する円筒状をなし、前記差込口本体の円筒部の内周面に着脱自在に密嵌自在な嵌合筒部と、前記嵌合筒部の他端から突出するよう前記嵌合筒部と同軸状に延びると共に、前記給水棒の外径に対応する内径を有する円筒状をなし、内周面により前記給水棒を着脱自在に密嵌自在な挿着筒部と、前記嵌合筒部の一端から突出するよう前記嵌合筒部と同軸状に延びると共に、前記中型ボトルの注水口内に挿入自在な筒状をなし、その先端に弁座を形成する挿入部と、前記挿入部の軸心に沿って往復移動自在に取付けた芯棒と、前記芯棒の一端に固着されて前記弁座に着座する弁体と、前記芯棒の他端側に配置され、常には前記弁体が前記弁座に着座するよう付勢する弾性体とを含む中型ボトル用アダプターと、前記小型ボトルの注水口の外周面の雄ねじを螺入自在な雌ねじを有し、前記小型ボトルの注水口を一端から前記雌ねじに螺入して前記注水口に固定されると共に、前記差込口本体の円筒部の内径と同一の外径を有する円筒状をなし、前記差込口本体の円筒部の内周面に着脱自在に密嵌自在な嵌合筒部と、前記嵌合筒部の他端から突出するよう前記嵌合筒部と同軸状に延びると共に、前記給水棒の外径に対応する内径を有する円筒状をなし、内周面により前記給水棒を着脱自在に密嵌自在な挿着筒部と、前記嵌合筒部の一端から突出するよう前記嵌合筒部と同軸状に延びると共に、前記小型ボトルの注水口内に挿入自在な筒状をなし、その先端に弁座を形成する挿入部と、前記挿入部の軸心に沿って往復移動自在に取付けた芯棒と、前記芯棒の一端に固着されて前記弁座に着座する弁体と、前記芯棒の他端側に配置され、常には前記弁体が前記弁座に着座するよう付勢する弾性体とを含む小型ボトル用アダプターとを備える。そして、前記大型ボトルの場合は、その注水口の円形の開口から内部に前記給水棒を差込むことにより、前記給水棒の先端が前記注水口の内部の弁体を押圧して弁を弁座から離間して前記注水口を開放状態とし、これにより、前記大型ボトルの内部の水が前記給水棒の給水孔から前記給水棒内に自重により流入し、前記給水棒を介して前記冷水タンク内に自重により流入するようにする。また、前記中型ボトルの場合は、その注水口の雄ねじを前記中型ボトル用アダプターの嵌合筒部の雌ねじに螺入することにより、中型ボトルの注水口に中型ボトル用アダプターを装着して、前記中型ボトル用アダプターの弁体及び弁座を前記中型ボトルの注水口から内部に配置し、前記中型ボトル用アダプターの挿着筒部内に前記給水棒を挿着することにより、前記給水棒の先端によって前記中型ボトル用アダプターの芯棒の基端を押圧して、前記芯棒を前記弾性体の付勢力に抗して軸方向に移動することにより、前記中型ボトル用アダプターの弁体を前記弁座から離間して開放し、これにより、前記中型ボトルの内部の水が前記給水棒の給水孔から前記給水棒内に自重により流入し、前記給水棒を介して前記冷水タンク内に自重により流入するようにする。更に、前記小型ボトルの場合は、その注水口の雄ねじを前記小型ボトル用アダプターの嵌合筒部の雌ねじに螺入することにより、小型ボトルの注水口に小型ボトル用アダプターを装着して、前記小型ボトル用アダプターの弁体及び弁座を前記小型ボトルの注水口から内部に配置し、前記小型ボトル用アダプターの挿着筒部内に前記給水棒を挿着することにより、前記給水棒の先端によって前記小型ボトル用アダプターの芯棒の基端を押圧して、前記芯棒を前記弾性体の付勢力に抗して軸方向に移動することにより、前記小型ボトル用アダプターの弁体を前記弁座から離間して開放し、これにより、前記小型ボトルの内部の水が前記給水棒の給水孔から前記給水棒内に自重により流入し、前記給水棒を介して前記冷水タンク内に自重により流入するようにする。
【００１０】
請求項４に係るウォーターディスペンサーは、請求項３の構成において、更に、前記差込口本体の上端の開口に着脱自在に固定されて当該開口を閉塞する蓋部と、前記蓋部に設けられて導水管を連結すると共に前記導水管からの流水を選択的に導入及び遮断するよう開閉制御される弁部材を内装した導水部と、前記蓋部の内面側に取付けられて上下方向に傾動自在なフロートと、前記フロートの傾動状態に応じて前記導水部の弁部材の開閉を制御する制御回路とを含む貯水部材を備え、前記貯水部材の導水部に導水管を介して水道管の吐水口または浄水器の吐水口を接続することにより、前記給水源として、水道管からの水道水及び浄水器からの浄水のいずれかを選択的に使用自在とし、前記水道管からの水道水及び浄水器からの浄水が前記差込口本体の内部に所定水位貯留されたときに、前記フロートが所定の傾動状態となることで前記制御回路により前記導水部の弁部材を閉じて、前記水道管からの水道水及び浄水器からの浄水を遮断するようにした。
【００１１】
請求項５に係るウォーターディスペンサーは、請求項３の構成において、更に、前記給水ボトルの内部に投入される脱塩素剤カートリッジ及びミネラル剤カートリッジの少なくともいずれか一つを備え、前記中型ボトルまたは前記小型ボトルの内部に前記脱塩素剤カートリッジ及びミネラル剤カートリッジの少なくともいずれか一つを投入した状態で水栓の吐水口からの水道水を前記給水ボトルの注水口から内部に充填する（これにより効果的に水道水の脱塩素を行い、また、ミネラル分抽出を行う）と共に、この状態で前記中型ボトルまたは前記小型ボトルの注水口に前記中型ボトル用アダプターまたは前記小型ボトル用アダプターを装着し、当該中型ボトル用アダプターまたは小型ボトル用アダプターを介して前記中型ボトルまたは前記小型ボトルを前記差込口本体内に装着するようにした。
【００１２】
請求項６に係るウォーターディスペンサーは、請求項１の構成において、更に、前記筐体内において前記給水通路の流水経路上に配置され、前記給水通路の内部と磁気的に接続されて、前記給水通路を通過する水を磁気処理する磁気部材を備える。
【００１３】
請求項７に係るウォーターディスペンサーは、請求項６の構成において、前記磁気部材は、前記給水通路における前記冷水タンクと直近の端部位置において前記給水通路の軸心上に配置され、前記給水通路の直径より幅狭の通水路を有して、前記通水路の幅方向両側に当該通水路の断面積に応じた磁力の磁石を配置したものである。
【００１４】
請求項８に係るウォーターディスペンサーは、請求項７の構成において、前記給水通路が、先端に前記給水孔を形成した略円筒状の差込筒部と、前記差込筒部の基端に同軸状となるよう一体的に設けられ、底面を開口した短筒状の装着筒部とを有する略段付筒状の給水棒からなる。また、前記磁気部材は、前記給水棒の装着筒部の内部に嵌合保持されると共に、前記通水路をスロット状の孔として軸方向に貫通させ、前記通水路の幅方向両側に対向して、それぞれ、前記磁石を挿入保持する収容凹部を形成し、当該収容凹部にそれぞれ前記磁石を着脱自在に挿入して収容保持し、前記収容凹部に収容保持した前記磁石が前記水通路の断面積の一部と重複するようにした。
【００１５】
請求項９に係るウォーターディスペンサーは、請求項１または請求項６乃至８のいずれかの構成において、更に、前記冷水タンクの下流側に接続され、前記冷水タンク内の水を自重により内部に導入する温水タンクと、円形トレイ状をなすトレイ部、前記トレイ部の中心部から垂下する両端を開口した筒状の導水筒部、並びに、前記トレイ部に配置された抗菌剤を含む分水盤とを備え、前記分水盤を前記冷水タンク内に収容し、前記給水通路から前記冷水タンク内に導入した前記給水源の給水を、前記冷水タンク内に貯留することなく前記分水盤の導水筒部を介して通過させて前記温水タンクに導入する共に、前記給水通路からの給水を前記トレイ部により向きを変えて分流して、前記トレイ部の導水孔から前記冷水タンク内に導入して貯留する共に、前記トレイ部に配置した抗菌剤により抗菌処理して前記冷水タンク内に導入して貯留する。
【００１６】
請求項１０に係るウォーターディスペンサーは、請求項１または請求項６乃至８のいずれかの構成において、更に、前記冷水タンクの下流側に接続され、前記冷水タンク内の水を自重により内部に導入する温水タンクと、複数の導水孔及び前記複数の導水孔を２分するように延びる隔壁を有する円形トレイ状をなすトレイ部、前記トレイ部の中心部から垂下する両端を開口した筒状の導水筒部、並びに、前記トレイ部の複数の導水孔の少なくとも一つに挿着して配置されて内部に抗菌剤を収容する抗菌ケースを含む分水盤とを備え、前記分水盤を前記冷水タンク内に収容し、前記給水通路から前記冷水タンク内に導入した前記給水源の給水を、前記冷水タンク内に貯留することなく前記分水盤の導水筒部を介して通過させて前記温水タンクに導入する共に、前記給水通路からの給水を前記トレイ部により向きを変えて前記トレイ部の隔壁により分流して、前記複数の導水孔のうち前記抗菌ケースを設けない側の導水孔と前記抗菌ケースを設ける側の導水孔とに案内し、前記トレイ部の複数の導水孔のうち前記抗菌ケースを設けない導水孔から直接的に前記冷水タンク内に導入して貯留する共に、前記抗菌ケースを設けた導水孔からは前記抗菌ケース内の抗菌剤により抗菌処理して前記冷水タンク内に導入して貯留する。
【００１７】
請求項１１に係るウォーターディスペンサーは、請求項１の構成において、更に、前記筐体の底面に固着され、ウォーターディスペンサーの全重量に応じた面積及び厚みを有する耐震シートを備える。
【発明の効果】
【００１８】
請求項１乃至５に係るウォーターディスペンサーは、コンパクトな構造でありながら十分な冷水及び温水生成能力を有し、また、各種サイズの給水ボトルを選択的に使用可能で、かつ、当該給水ボトルの再利用も可能とすることにより、その取扱性を改良してオフィスや家庭において手軽に利用することができる。更に、水容器以外にも水道水等の様々な給水源からの給水も可能として経済性を向上することができる。
【００１９】
請求項６乃至８に係るウォーターディスペンサーは、加えて、冷水タンクや温水タンク等の流水経路の各部分へのミネラル等の付着や沈着を効果的に防止することができる。
【００２０】
請求項９乃至１０に係るウォーターディスペンサーは、冷水タンク内の水を確実に抗菌処理することができる。
【００２１】
請求項１１に係るウォーターディスペンサーは、耐震性を向上することができる。
【発明を実施するための最良の形態】
【００２２】
以下、本発明を実施するための最良の形態（以下、実施の形態という）を説明する。なお、各実施の形態を通じ、同一の部材、要素または部分には同一の符号を付して、その説明を省略する。
【００２３】
実施の形態１
本発明の実施の形態１に係るウォーターディスペンサーについて図１〜図１２に従って説明する。図１は本発明の実施の形態１に係るウォーターディスペンサーの外観（給水ボトルの装着状態）を示す正面図である。図２は本発明の実施の形態１に係るウォーターディスペンサーの内部構成を示す（一部を破断した）正面図である。図１に示すように、実施の形態１に係るウォーターディスペンサーは、直方体箱状をなす筐体１０を備えている。筐体１０の前面の上部側には、下方に若干突出する湾曲形状の出口部１１が形成され、出口部１２には、冷水出口１２及び温水出口１３が下方に向けて配置されている。筐体１０の前面の下端部には、出口部１２の冷水出口１２及び温水出口１３と対向するよう、滴受けトレイ１４が配置されている。なお、出口部１２と滴受けトレイ１４との間は、筐体１０の奥側（後側）に向かって窪んだ凹部状空間１５とされ、滴受けトレイ１４に載置したコップ等の飲料容器に、冷水出口１２から吐出される冷水及び温水出口１３から吐出される温水を重力により落下注入できるようになっている。図２に示すように、筐体１０の上端部には凸状の嵌合部１６が形成されている。嵌合部１６には、嵌合部１６に対応する内面形状を有すると共に下端を開放したトレイ状の上部カバー１７が、着脱自在に取付けられている。筐体１０の前面の上端部右側には、ＬＥＤ等からなる電源ランプ１８、ホットランプ１９及びコールドランプ２０が左右に底間隔で並んで配置されている。なお、筐体１０お呼び上部カバー１７は、所定の樹脂材料（ＡＢＳ樹脂等）により形成されている。
【００２４】
図２に示すように、筐体１０の内部空間は、仕切板２１により上下に区画され、仕切板２１上には板状の断熱材２２を介して冷水タンク２３が載置固定されている。冷水タンク２３の側部には制御回路２４が固定されている。一方、仕切板２１の下方空間における一側（右側）における筐体１０の底壁上には、小型のコンプレッサー２５が載置固定されている。コンプレッサー２５は、ノンフロン式コンプレッサーであり、冷水タンク２３に熱的に接続されて、冷水タンク２３内の水を所定の設定温度に温度調節して冷却するようになっている。例えば、コンプレッサー２５は、冷水タンク２３の容量分（例えば、１．２リットル）の水を、約５℃〜１２℃の設定温度範囲のうちの任意の温度に温度調節して、常時その冷水温度に保持できる能力を有している（例えば、冷水量／時間＝１．５Ｌ／ｈ）。また、仕切板２１の下方空間における他側（左側）における筐体１０の底壁上には、ヒーター２６が載置固定され、ヒーター２６上には温水タンク２７が連結固定されて熱的に接続されている。ヒーター２６は、温水タンク２７を外部から加熱できるようになっている。ヒーター２６は、底加熱方式（水に接触せずに加熱する方式）であり、最も安全性が高いものであり、温水タンク２７に熱的に接続されて、温水タンク２７内の水を所定の設定温度に温度調節して加温乃至保温するようになっている。例えば、ヒーター２６は、温水タンク２７の容量分（例えば、１．０リットル）の水を、約８０℃〜９０℃の設定温度範囲のうちの任意の温度に温度調節して、常時その温水温度（湯温）に保持できる能力を有している（例えば、温水／時間＝４．５Ｌ／ｈ）。ここで、コンプレッサー２５による冷水の温度調節及びヒーター２６による温水の温度調節は、前記制御回路２４により制御して実行される。なお、冷水タンク２３及び温水タンク２７は、所定の耐腐食性材料（ステンレス等）により形成されている。
【００２５】
即ち、制御回路２４には、冷水タンク２３に配置した温度センサー（図示略）、コンプレッサー２５、ヒーター２６及び温水タンク２７に配置した温度センサー（図示略）が電気的に接続されている。そして、制御回路２４には、冷水タンク２３の温度センサーからの検出信号（冷水タンク２３内の水温を示す信号）が入力され、その検出信号（冷水タンク２３内の水の検出温度）に基づき、制御回路２４がコンプレッサー２５を駆動制御してその冷却能力を調節し、冷水タンク２３内の水温を設定温度となるよう調節する。同様に、制御回路２４には、温水タンク２７の温度センサーからの検出信号（温水タンク２７内の水温を示す信号）が入力され、その検出信号（温水タンク２７内の水の検出温度）に基づき、制御回路２４がヒーター２６を駆動制御してその加熱能力を調節し、温水タンク２７内の水温を設定温度となるよう調節する。なお、冷水タンク２３内の冷水及び温水タンク２７内の温水の設定温度は、筐体１０の後面の所定位置に配置した温度調節部材（つまみ、ダイヤル等）により、使用者が上記設定温度範囲内で自由に設定できるようになっており、温度調節部材の設定値が制御回路２４に入力記憶されて、上記のような温度制御が行われるようになっている。また、筐体１０の後面には、図示しない冷水スイッチ及び温水スイッチが配置され、冷水スイッチをＯＮ／ＯＦＦすることにより、コンプレッサー２５の駆動をＯＮ／ＯＦＦして、冷水タンク２３内の水の冷却を開始／停止できるようになっている。同様に、温水スイッチをＯＮ／ＯＦＦすることにより、ヒーター２６の駆動をＯＮ／ＯＦＦして、温水タンク２７内の水の加熱を開始／停止できるようになっている。更に、制御回路２４は、ウォーターディスペンサーの電源のＯＮ及びＯＦＦに伴い、黄色等の所定色の電源ランプ１９を点灯及び消灯する。また、制御回路２４は、冷水タンク２３内の冷水が設定温度以下のとき（即ち、要求される低温の冷水となっているとき）、コールドランプ２０を緑色に点灯し、冷水タンク２３内の冷水が設定温度を超える温度のときは、コールドランプ２０を赤色に点灯するよう、コールドランプ２０を点灯制御している。同様に、制御回路２４は、温水タンク２６内の温水が設定温度以上のとき（即ち、要求される温度の温水となっているとき）、ホットランプ１９を緑色に点灯し、温水タンク２６内の温水が設定温度未満の温度のときは、ホットランプ１９を赤色に点灯するよう、ホットランプ１９を点灯制御している。
【００２６】
前記断熱材２２の前面からは、前記冷水出口１２を先端に有する冷水用の導水管２８が、その右側で前方に突出して前記冷水出口１２へと至ると共に、前記温水出口１３を先端に有する温水用の導水管２９が、その左側で前方に突出して前記温水出口１３へと至っている。冷水用の導水管２８は、図２に矢印で示すように、冷水タンク２３の下面に設けた冷水導出用の開口部（図示略）に基端を水密に接続され、冷水タンク２３内の冷水の自重により、導水管２８を経て冷水出口１２から冷水を吐出自在となっている。また、温水用の導水管２９は、図２に矢印で示すように、温水タンク２７の下面に設けた温水導出用の開口部（図示略）に基端を水密に接続され、温水タンク２７内の温水の自重により、導水管２９を経て温水出口１３から温水を吐出自在となっている。なお、冷水用の導水管２８及び温水用の導水管２９の経路上には、それぞれ、弁体が配置され、常には、導水管２８及び導水管２９を閉鎖して、冷水出口１２及び温水出口１３から冷水及び温水が吐水されないようにしている。なお、非使用時に温水タンク２７内に残った水は、筐体１０底部の排水口（図示略）から１００％排水することができ、衛生的にも安全である。また、筐体１０上部の差込口本体３０や筐体１０内部の冷水タンク２３は取り外しが可能であり、冷水タンク２３や差込口本体３０等を清掃できるようになっている。
【００２７】
筐体１０の上部カバー１７及び嵌合部１６の中央には、所定半径の円形をなす嵌合孔（図示略）が形成され、筐体１０の内部空間における前記冷水タンク２３の上面と対向している。なお、冷水タンク２３の上面には、前記嵌合孔と対向する位置には、給水用の開口が形成されている。また、上部カバー１７及び嵌合部１６の嵌合孔には、円周方向に所定間隔で切欠き状の掛止凹部（図示略）が形成されている。更に、上部カバー１７及び嵌合部１６の嵌合孔には、差込口本体３０が上方から着脱自在に嵌合して装着されている。差込口本体３０は、図３に示すように、略鋲形状の外観を有し、傘状の拡径部３１と、大径円筒部３２と、小径円筒部３３とを有している。大径円筒部３２は、前記上部カバー１７及び嵌合部１６の嵌合孔と同一外径の外周面を有している。また、大径円筒部３２は、その外周面下端縁部の円周方向に、前記上部カバー１７及び嵌合部１６の嵌合凹部の掛止凹部と同一間隔で、当該掛止凹部と整合する断面形状の複数の掛止突起（図示略）を一体形成している。そして、大径円筒部３２を上部カバー１７及び嵌合部１６の嵌合孔に上方から挿入すると共に、大径円筒部３２の掛止突起を上部カバー１７及び嵌合部１６の嵌合孔の掛止凹部に挿通し、円周方向（例えば時計回り方向）に回転すると、大径円筒部３２の掛止突起が上部カバー１７及び嵌合部１６の嵌合孔の周縁部下面に掛止され、大径円筒部３２を介して差込口本体３０を上部カバー１７に固定することができる。このとき、傘部３１の外周縁下端面が嵌合部１６の上面突出部分に当接する。なお、大径円筒部３２を逆方向に回転して掛止突起を上部カバー１７及び嵌合部１６の嵌合孔の掛止凹部と整合させると、差込口本体３０を上方に移動して上部カバー１７から取り外すことができる。差込口本体３０の小径円筒部３３の上側部分には、下方に向かって湾曲しつつ傾斜する傾斜湾曲面３４が形成されている。傾斜湾曲面３４は、図１に示すような給水源としての給水ボトルＬＢや市販のペットボトル等の各種ボトルの注水口（飲み口）の周辺の傾斜湾曲面に対応する曲率を有している。また、図４に示すように、差込口本体３０の小径円筒部３３の下端には、小径円筒部３３より小径の短円筒状をなす装着筒部３５が一体形成されている。なお、差込口本体３０は、所定の樹脂材料（ＡＢＳ樹脂等）により一体形成されている。
【００２８】
図３は本発明の実施の形態１に係るウォーターディスペンサーの差込口本体に給水棒を装着した状態を示す正面図である。図４は本発明の実施の形態１に係るウォーターディスペンサーの給水棒及び磁気部材の分解状態を示す正面図である。図３に示すように、差込部本体３０の内部には、装着筒部３５の下端から給水棒４０が内部に挿入して保持されている。給水棒４０は、図４に示すように、フランジ部４１、雄ねじ部４３及び差込筒部４４を同軸上に一体形成している。また、雄ねじ部４３の基端にはシール部材４２が外嵌して配置され、フランジ部４１の上面に当接している。なお、図６に示すように、フランジ部４１は八角形板状をなす。また、図４に示すように、シーツ部材４２はフランジ部４１より小径のリング状をなし、雄ねじ部４３は円筒状の外周面に雄ねじを形成したものである。差込筒部４４の上端には略半球状の押圧部４５が同軸状に一体形成されている。更に、差込筒部４４と押圧部４５との間には、円環状の掛止溝４６が差込筒部４４の円周方向に形成されている。更に、差込筒部４４の上端部（掛止溝４６の近傍）には、放射方向に対向する一対の給水孔４７が貫通形成されている。また、差込筒部４４における両給水孔４７の間には空気抜き孔４８が貫通形成されている。なお、給水孔４７は円形状をなし、空気抜き孔４８も小径円形状をなすが、給水孔４７及び空気抜き孔４８は、差込筒部４４の外部からの給水及び差込筒部４４の内部の空気抜きを円滑に行える限りにおいて、円形以外の任意の形状とすることができる。更に、図６に示すように、給水棒４０の雄ねじ部４３には、断面円形の挿着凹部４９が形成され、雄ねじ部４３の上端近傍まで延びている。即ち、雄ねじ部４３は、下端を円形の開口とし上端を閉塞する円筒状をなす。このように構成した給水棒４０は、差込口本体３０の装着筒部３５から小径円筒部３３の内部に収容した状態で、小径円筒部３３の軸心に沿って延びるよう保持される。即ち、図８に示すように、前記差込口本体３０の装着筒部３５の内周面には、雄ねじ部４３の雄ねじに対応する雌ねじが形成されている。そして、図７に示すように、給水棒４０の差込筒部４４を差込口本体３０の装着筒部３５の下端から上方（図７の矢印方向）へと挿入し、雄ねじ部４３を装着筒部３５の雌ねじに完全に螺入することにより、図８に示すように、雄ねじ部４３が装着筒部３５の内部に収容固定されて、差込筒部４４及び押圧部４５が小径円筒部３３内の所定位置に保持される。このとき、給水棒４０のシール部材４２が、フランジ部４１と差込口本体３０の装着筒部３５との間で圧接され、フランジ部４１と差込口本体３０の装着筒部３５との間での水密を維持する。しかし、給水棒４０にシール部材４２を設けることなく省略してもよく、この場合でも、雄ねじ部４３と装着筒部３５との間及びフランジ部４１上面と装着筒部３５下端面との間での水密を必要十分な程度に維持することができる。また、このとき、給水棒４０の差込筒部４４の外周面と、差込口本体３０の小径円筒部３３の内周面３３ａとの間に、所定内径（差込筒部４４の外径）及び所定外径（小径円筒部３３の内径、即ち、内周面３３ａの直径）を有するリング状の空間が形成される。なお、給水棒４０は、所定の樹脂材料（ＡＢＳ樹脂等）により一体形成されている。
【００２９】
図５は本発明の実施の形態１に係るウォーターディスペンサーの磁気部材を示し、（ａ）は正面図、（Ｂ）は側面図、（ｃ）は平面図、（ｄ）は上面左側から見た斜視図、（ｅ）は上面右側から見た斜視図、（ｆ）は下面左側から見た斜視図、（ｇ）は下面右側から見た斜視図である。図６は本発明の実施の形態１に係るウォーターディスペンサーの給水棒に磁気部材を装着した状態を下面側から見て示す斜視図である。図７は本発明の実施の形態１に係るウォーターディスペンサーの差込口本体及び給水棒の分解状態を示す正面図である。図８は本発明の実施の形態１に係るウォーターディスペンサーの給水棒に磁気部材を装着し、差込口本体にかかる給水棒を装着した状態を示す断面図である。給水棒３０の雄ねじ部４３の内部には、磁気部材５０が嵌着して内装される。磁気部材５０は、図４及び図５に示すように、略円盤状の本体部５１の中央に断面楕円（長円）形状乃至スロット形状の通水路５２を貫通形成したものである。通水路５２は、幅方向両側を直線状とし、長さ方向両端を略半円形状とした長円状の孔である。本体部５１の軸方向両端（上端及び下端）には、それぞれ、Ｏリングを収容するための円環状のリング溝５３が（一対の近接するフランジ部間に）形成されている。また、本体部５１の軸方向中央部（両リング溝５３間の位置）には、放射方向に対向する位置に一対の収容凹部５４が形成されている。収容凹部５４は、本体部５１の円周方向に所定長延びる長さと、前記上下一対のリング溝５３間に対応する幅とを有して、本体部５１の外周面から放射方向（半径方向）内方に延びている。そして、収容凹部５４の内端（奥側端面）が、通水路５２の幅方向両側の直近に配置されている。即ち、本体部５１の通水路５２の幅方向両側と収容凹部５４の内端面（奥端面）との間に、通水路５２と収容凹部５４とを隔てる薄壁状の隔壁が形成されている。図８に示すように、磁気部材５０の一対の収容凹部５４には、それぞれ、フェライト磁石等の所定磁力の磁石５５が挿入して装着保持される。磁石５５は、収容凹部５４の断面形状と同一形状の長方形板状をなし、例えば、ネオジム磁石（ネオジム磁石とも呼ばれ、磁石種類中で最も強力な磁力を有し、例えば、１５ｍｍ＊５ｍｍ＊３ｍｍの板状のものでも３０００〜３５００ガウスの磁力を有する）等から構成される。即ち、一対の磁石５５が、磁気部材５０の一対の収容凹部５４の最奥部にそれぞれ配置され、その厚さ方向一側面を収容凹部５４の奥端面に密接させた状態で、磁気部材５０の通水路５２の幅方向両側に近接配置されている。図６及び図８に示すように、磁気部材５０は、リング溝５３にそれぞれＯリング５６を弾性的に外嵌して装着した状態で、給水棒４０の雄ねじ部４３の挿着凹部４９内に挿入され、Ｏリング５６が雄ねじ部４３の挿着凹部４９の周面に弾性的に密接（圧接）することにより、挿着凹部４９内に保持される。このとき、Ｏリング５６が、磁気部材５０の外周面と挿着凹部４９の周面との間での水密を維持する。なお、磁気部材５０の本体部５１及びリング溝５３を構成するフランジ部は、所定の樹脂材料（ＡＢＳ樹脂等）により一体形成することができるが、抗菌剤入りＡＢＳ樹脂により形成することが好ましく、こうすると、磁気部材５０の通水路５２を通過する水を磁石５５により磁気処理すると同時に、本体部５１の通水路５２内面によって抗菌処理することができる。
【００３０】
図９は本発明の実施の形態１に係るウォーターディスペンサーの分水盤に抗菌ケースを装着した状態を示し、（ａ）は抗菌ケースの蓋を取外して内部の抗菌剤を示す平面図、（ｂ）は抗菌剤の蓋を取外した状態を示す正面図である。図１０は本発明の実施の形態１に係るウォーターディスペンサーの分水盤に抗菌ケースを装着した状態を示す断面図である。図１に示すように、冷水タンク２３内には分水盤６０及び抗菌ケース７０が収容配置されている。図９及び図１０に示すように、分水盤６０は、冷水タンク２３の内径に対応する直径のフランジ部６１及びトレイ部６２を有している。トレイ部６２は、円盤状の底壁６４の外周縁から垂直に短円筒状の側壁６３を立ち上げて一体形成した形状をなす。トレイ部６２の底壁６４の中央には、その直径方向に直線的に延びる帯板状の隔壁６５が、前記側壁６３と同一高さで垂直に立ち上げて一体形成され、この隔壁６５により、トレイ部６２の側壁６３と底壁６４とにより画定される内部空間を第１の半円空間６６Ａと第２の半円空間６６Ｂとに２分割している。また、トレイ部６２の底壁６３には、隔壁６５の一方側及び他方側に、それぞれ、円形の導水孔６７が形成されている。なお、フランジ部６１は、トレイ部６２の側壁６３の上端から水平に外方へと広がるリング板状をなす。また、フランジ部６１は、冷水タンク２３の内径と同一または若干小さい外径を有している。更に、トレイ部６２の底壁６４の中心部には、下方に垂直に延びる円筒状の導水筒部６８が一体形成されている。導水筒部６８の上端及び下端はそれぞれ円形に開口し、上端の円形開口から下端の円形開口へと導水可能となっている。また、分水盤６０を冷水タンク２３内に配置したときに、導水筒部６８の下端の円形開口は、冷水タンク２３の下面中心に形成した導出開口部（図示略）と水密に連結されて連通するようになっている。そして、冷水タンク２３の下面中心の導出開口部は、導管乃至導水ホースを介して、温水タンク２７の上面に設けた導入開口部に接続されている。なお、分水盤６０は、ＡＢＳ樹脂等の所定材料により一体形成される。一方、前記トレイ部６２の底壁６３の一方の導水孔６７には、抗菌ケース７０が挿着して保持されている。具体的には、抗菌ケース７０は、フランジ部７１と、有底円筒状の透水部７２とを一体形成している。フランジ部７１は透水部７２の上端の円形開口から水平に外方へと広がるリング板状をなすと共に、底壁６３の導水孔６７より大きい外径を有する。また、透水部７２は底壁６３の導水孔と同一の内径を有している。そして、透水部７２を底壁６３の導水孔６７に上方から挿入することにより、フランジ部７１が底壁６３の導水孔６７の周縁部上面に当接掛止されて保持されている。透水部７２の内部には多数のペレット状の抗菌剤が投入配置（充填）されている。また、図１０に示すように、透水部７２の上端とフランジ部７１の内周縁との間には段付面（肩部）が形成されている。そして、この段差面の外径と同一の直径を有する円盤状の蓋７４が、透水部７２の上端の円形開口に着脱自在に装着され、透水部７２の上端を閉塞して、透水部７２内の（樹脂等からなるペレット状の）抗菌剤７３が水中で浮遊して透水部７２の開口から外部に散逸しないようにしている。なお、抗菌ケース７０のフランジ部７１、透水部７２及び蓋７４は、ポリエチレンやポリプロピレン等の素材により透水性を有するよう成形されている。また、抗菌剤はＡＢＳ樹脂等により透水性／吸水性のペレット状に形成される。
【００３１】
図２に示すように、前記差込口本体３０に給水棒４０を装着すると共に、給水棒４０に磁気部材５０を内装した状態（組立状態）で、差込口本体３０を上部ケース１７及び嵌合部１６の前記嵌合孔に装着すると、給水棒４０及び磁気部材５０により形成される給水路の下端（磁気部材５０の通水路５２の下端）が、冷水タンク２３の上面に設けた前記給水用の開口（図示略）に対向して配置される。また、図１に示すように、給水源の一つとしての（例えば１２リットル入りの）給水ボトルＬＢ（ラージボトル）を逆向きにして、その注水口を前記差込口本体３０に上方から挿入して装着すると、給水ボトルＬＢの注水口に給水棒４０の差込筒部４４が挿入され、差込筒部４４上端の押圧部４５が、給水ボトルＬＢの注水口に装着した弁体（図示略）を押圧して弁体を開放し、差込筒部４４の給水孔４８が給水ボトルＬＢの注水口を介して給水ボトルＬＢの内部と連通する。このとき、差込口本体３０の傾斜湾曲面３４が、給水ボトルＬＢの周辺の傾斜湾曲面（外面）に対応する曲率を有しているため、給水ボトルＬＢの注水口周辺の傾斜湾曲面が、差込口本体３０の傾斜湾曲面３４に面状に当接して安定して支持されると共に、給水ボトルＬＢの注水口の外周面が、差込口本体３０の小径円筒部の内周面に密接して支持される。これにより、外部のほこり等の異物が、給水ボトルＬＢの注水口周辺の傾斜湾曲面と差込口本体３０の傾斜湾曲面３４との間から侵入することを効果的に防止することができる。また、給水ボトルＬＢの給水口の弁体に通じる通水路の先端（下端）の円形開口部（図示略）が、給水棒４０の差込筒部４４の外周面に弾性的に密接して、給水棒４０の差込筒部４４との間での水密を維持する。更に、給水ボトルＬＢの注水口に設けた掛止片（図示略）が、給水棒４０の掛止溝４６に掛止され、所定以上の力で引き抜かない限り、給水ボトルＬＢを不用意に給水棒４０から離脱できないようになっている。これにより、給水ボトルＬＢ内の水が、注水口から給水棒４０の差込筒部４４の給水孔４８に重力により流入し、差込筒部４４内を重力により流下して、磁気部材５０の通水路５２を流下する。即ち、このとき、磁気部材５０の通水路５２を流下する水は、通水路５２の幅方向両側の収容凹部５４内に収容した一対の磁石５５間を非常に近接した位置で流れることになり、磁石５５からの強力な磁力（磁界）により磁気的影響を受けて磁気処理され、磁気処理水となる。なお、この場合の水の磁気処理には諸説があるが、一般的な見解（多数説）や各種実験結果によれば、水が磁気により活性化されて活性水となり、例えば、金属腐食を防止したり、水のクラスタ分子を細分化（極端には単一分子化）して水をまろやかにしたり、水中の不純物やミネラル等の混合物を物理変性して、（例えばステンレスからなる）冷水タンク２３や温水タンク２７の内面或いは給水路や導水路を形成するホースや管体の内面等に付着及び沈着することを効果的に防止したりすると考えられている。
【００３２】
更に、このとき、上記のように、前記給水通路は、先端（上端）に給水口としての一対の給水孔４８を形成した略円筒状の差込筒部４４と、差込筒部４４の基端（下端）に同軸状となるよう一体形成され、底面（下面全体）を円形に開口した短円筒状の装着筒部４５とを有する略段付筒状の給水棒４０からなる。また、前記磁気部材５０は、給水棒４０の装着筒部４５の内部に略密接状態で嵌合されて弾性体（Ｏリング５６）によりその内周面に弾接して保持されると共に、通水路５２をスロット状の孔として軸方向に貫通させ、通水路５２の幅方向両側に対向して、それぞれ、磁石５５を挿入保持する収容凹部５４を形成し、当該収容凹部５４にそれぞれ磁石５５を着脱自在に挿入して収容保持し、収容凹部５に収容保持した磁石５５が給水路（差込筒部４４の内部の通水路）の断面積の一部と重複するようになっている。更に、このとき、磁気部材５０は、給水棒４０の差込筒部４４の内部の通水路（給水路）における冷水タンク２３と直近の端部位置、即ち、差込筒部４４の他端位置（下端位置）において、給水棒４０の差込筒部４４の軸心上及び装着筒部４５の軸心上に同軸状となるよう配置される。更にまた、このとき、磁気部材５０の通水路５２が、給水棒４０の差込筒部４４の通水路の直径（内周面の直径）より幅狭となるため、磁気部材５０の収容凹部５４の最奥部に収容配置した磁石５５の（最も大きな面積の）内側面が、給水棒４０の差込筒部４４の通水路の円形の水平断面の範囲内に重複して存在することになる。ここで、磁石５５は、上記のように、磁気部材５０の通水路５２を通過する水に磁気的影響を与えて磁気処理する（磁気処理水とする）ためのものであり、通水路５２を通過する水を磁気処理できる磁力を有する磁石とする。具体的には、磁気部材５５の磁石５５の磁力は、磁気部材５０の通水路５２の断面積に応じて決定し、磁気部材５０の通水路５２の断面積が増減すると、これに合わせて、磁石５５の磁力を増減する。このように、磁気部材５０の通水路５５の幅方向両側に、当該通水路５２の断面積に応じた磁力の（フェライト）磁石を配置している。このような磁石５５は、例えば、フェライト磁石とすることができ、この場合、非常に小さな寸法であっても３５００ガウス以上の磁力を有することができ、かかる強力な磁力により、通水路５２を通過する水を強力に磁気処理することができる。更に、一対の磁石５５は、それぞれ、薄壁状の隔壁を隔てて本体部５１中央の通水路５２と対面し、その長さ及び幅からなる長方形状の全面から磁気を通水路５２に向かって放射するため、非常に大きな磁力で通水路５２を通過する水を磁気処理することができる。加えて、このとき、上記のように、給水棒４０の差込筒部４４の給水路の断面上に磁石５５が重複して存在することになるため、差込筒部４４の給水路より幅狭の磁気部材５０の通水路５２を水が通過することになり、給水路５２内の水が磁石５５に直近して流下するため、磁気処理効果が高まる。また、磁気部材５０を冷水タンク２３の直近に配置するため、磁気部材５０の通水路５２を通過して磁気処理された水（磁気処理水）が、冷水タンク２３に流入するまでに時間を置くことなく、磁気処理の直後に冷水タンク２３に流入することになり、磁気処理効果を高いままの状態で冷水タンク２３に給水することができる。
【００３３】
図２及び図１０に矢印で示すように、給水棒４０から磁気部材５０を経て冷水タンク２３の上面開口内に垂直に流下した給水タンクＬＢの水は、冷水タンク２３内に配置した分水盤６０により大きくは２方向に分岐される。即ち、磁気部材５０の通水路５２から流出した水は、まず、分水盤６０の中心に配置された（第１の導水路としての）導水筒部６８内に流入し、導水筒部６８下端の円形開口から冷水タンク２３の下面の導出開口部及び導水管を経て、温水タンク２７の導入開口部から温水タンク２７内に重力により流入する（図１中の中央の矢印参照）。一方、給水棒４０から磁気部材５０を経て冷水タンク２３の上面開口内に垂直に流下した給水タンクＬＢの水は、分水盤６０のトレイ部６２の底壁６４により水平方向に流向を変えられ、底壁６４に沿って流動して、底壁６４の一方の導水孔６７から下方に流下し、冷水タンク２３内に貯留される（図１中の右側の矢印参照）。同様に、給水棒４０から磁気部材５０を経て冷水タンク２３の上面開口内に垂直に流下した給水タンクＬＢの水は、分水盤６０のトレイ部６２の底壁６４により水平方向に流向を変えられ、底壁６４に沿って流動して、底壁６４の他方の導水孔６７に装着した抗菌ケース７０の上端の蓋７４を透過（通過）して、抗菌ケース７０の透水部７２の内部に流入する。そして、抗菌ケース７０の透水部７２の内部に流入した水は、透水部７２内の抗菌剤７３により殺菌及び除菌され、透水部７２を透過（通過）して、冷水タンク２３内に貯留される（図１中の左側の矢印参照）。このとき、冷水タンク２３内に流入する水は、一方では、分水盤６０の一方の導水孔６７から直接（抵抗なく）冷水タンク２３の内部に重力により流下して十分な流入量で貯留され、他方では、分水盤６０の他方の導水孔６７に取付けた抗菌ケース７０を経て、抗菌処理を受けた状態で冷水タンク２３の内部に貯留される。よって、冷水タンク２３内への給水量を一方の導水孔６７を介して十分に確保しながら、他方の導水孔６７の抗菌ケース７０により抗菌処理を確実に行うことができる。なお、冷水タンク２３内の水位が抗菌ケース７０の下端より上方となれば、無論、冷水タンク２３内に貯留される水が、抗菌ケース７０により継続的に抗菌処理されるが、冷水タンク２３内の水位が抗菌ケース７０の下端より下方の場合でも、上記のように、分水盤６０の上面を水平に流れて抗菌ケース７０を透過する水が、抗菌ケース７０により確実に抗菌処理されて、冷水タンクに貯留される水と混合するため、冷水タンク２３内の水は常に抗菌状態とすることができる。なお、上記のようにすると、給水棒４０からの給水を全て直接冷水タンク２３に流下して貯留し、その後、冷水タンク２３内の水を温水タンク２７に流下して導水する場合と比較して、冷水タンク２７内への導水及び水貯留を安定して円滑に行うことができると共に、特に、温水タンク２７への導水及び水貯留を安定して円滑に行うことができる。
【００３４】
即ち、本実施の形態では、冷水タンク２３の下流側に温水タンク２７を接続し、冷水タンク２３内の水を自重により温水タンク２７の内部に導入する。また、分水盤６０には、複数（２個）の導水孔６７と、それら複数の導水孔６７を２分するよう直径方向に延びる隔壁６５とを有する円形トレイ状（受け皿状）をなすトレイ部６２と、トレイ部６２の中心部から垂下する両端を開口した円筒の導水筒部６８とを形成し、トレイ部６２の複数の導水孔６７の少なくとも一つ（２個のうちの１個）には抗菌ケース７０を挿着してその内部に抗菌剤７３を収容する。そして、分水盤６０を冷水タンク２３内に収容し、給水通路としての給水棒４０及び磁気部材５０から冷水タンク２３内に導入した給水源としての給水ボトルＬＢの給水を、冷水タンク２３内に貯留することなく分水盤６０の導水筒部６８を介して通過させて温水タンク２７内に導入する共に、給水ボトルＬＢからの給水をトレイ部６２により向きを変えてトレイ部６２の隔壁６５により分流して、複数の導水孔６７のうち抗菌ケース７０を設けない側の導水孔６７と抗菌ケース７０を設ける側の導水孔６７とに２分して案内し、トレイ部６２の複数の導水孔６７のうち抗菌ケース７０を設けない導水孔６７から直接的に冷水タンク２３内に導入して貯留する共に、抗菌ケース７０を設けた導水孔６７からは抗菌ケース７０内の抗菌剤７３により抗菌処理して冷水タンク２３内に導入して貯留する。
【００３５】
図１１は本発明の実施の形態１に係るウォーターディスペンサーの冷水ボタン及び温水ボタン部分を示す平面図である。図１１に示すように、筐体１０の上面前部（差込口本体３０より前側の部分）には、半楕円形状（楕円形の右側半部形状）の冷水ボタン用凹部８１と、半楕円形状（楕円形の左側半部形状）の温水ボタン用凹部８２とが左右対称に形成されて並列に配置されている。冷水ボタン用凹部８１内には、対応する半楕円形状の冷水ボタン８５が、冷水ボタン用凹部８１内へ（ばね等により）弾性的に押下げ及び弾性復帰自在となるよう収容配置されている。また、温水ボタン用凹部８２内には、対応する半楕円形状の温水ボタン８６が、温水ボタン用凹部８２内へ（ばね等の弾性体により）弾性的に押下げ及び弾性復帰自在となるよう収容配置されている。冷水ボタン８５を押下げることにより、制御回路２４等によって冷水用の導水管２８に設けた弁体を開放し、冷水タンク２３内の水の自重により、冷水タンク２３の冷水を、導水管２８を経て冷水出口１２から吐出するようになっている。また、温水ボタン８６を押下げることにより、制御回路２４等によって温水用の導水管２９に設けた弁体を開放し、温水タンク２７内の水の自重により、温水タンク２７の温水を、導水管２９を経て温水出口１３から吐出するようになっている。温水ボタン８６の幅方向（短軸方向）中央には、温水ボタン８６の長さ方向に延びる角丸帯板状をなす安全ロック板８７が、筐体１０の左右方向である温水ボタン８６の長さ方向（楕円の長軸方向）にスライド自在となるよう装着されている。一方、冷水ボタン８５の短軸となる端面（図１１中左端面）の中央には、前記安全ロック板８７の対向端部（図１１中の右端部）に整合する形状（略半円形状）の切欠き８５ａが形成されている。更に、筐体１０の冷水ボタン用凹部８１と温水ボタン用凹部８２との間の境界線部分（楕円の短軸部分）には、前記安全ロック８７の厚み分だけ下方に、水平面としての規制面８３が形成されている。前記安全ロック８７板は、図示しないばね等の弾性体により、常には、図１１（ａ）に示す原位置に配置され、その右端部（半円状部分）が、冷水ボタン８５の切欠き８５ａ内に収容されると共に、筐体１０の規制面８３に当接して下方への移動を規制されている。これにより、温水ボタン８６は、図１１（ａ）の状態では、安全ロック版８７が筐体１０の規制面８３によって当接規制されることにより、押下げ不能となり、不用意に（意図しない場合に）温水ボタン８６を押下げて、温水出口１３から温水を吐水することがないようにしている。一方、冷水ボタン８５は、かかる安全ロック板８７等による規制を受けることがないため、自由に押下げできるようになっている。
【００３６】
温水ボタン８６を押下げるには、まず、安全ロック板８７を図１１（ａ）の状態（原位置）から図１１（ｂ）の状態（スライド位置）となるよう左方にスライドする。これにより、安全ロック板８７の右端部が冷水ボタン８５の切欠き８５ａから完全に離間し、筐体１０の規制面８３からも完全に離間して非干渉位置にくる。そして、図１１（ｃ）に示すように、安全ロック板８７をこのままのスライド位置に維持した状態で、温水ボタン８６を押下げることにより、上記のように、温水ボタン８６を押下げて、温水出口１３から温水を吐水することができる。なお、冷水ボタン８５は、図１１（ｄ）に示すように、自由に押下げでき、これにより、冷水出口１２から冷水を吐水することができる。
【００３７】
図１２は本発明の実施の形態１に係るウォーターディスペンサーの支持脚を示し、（ａ）は平面図、（ｂ）は断面図、（ｃ）は底面図である。図１に示すように、筐体１０の下面の四隅のコーナー部には、それぞれ、脚体９１及び耐震シート９２を有する支持脚９０が固定されている。支持脚９０は、図１２に示すように、脚体９１の底面に耐震シート９２を固着したものであり、脚体９１をボルト９５の締結具により筐体１０の底面（下面）のコーナー部に固定すると共に、脚体９１の底面に耐震シート９２を接着または粘着等により固着するようになっている。脚体９１は、（例えば、合成ゴムやエラストマー等の）所定の弾性体から略円錐台形状に一体形成されている。また、耐震シート９２は、脚体９１の底面に対応する円盤状に形成され、例えば、その厚さ方向両面粘着面を形成したものであり、一方（脚体９１側）の粘着面の剥離シート（図示略）を剥離して粘着面を露出し、脚体９１の底面に粘着して固着される。また、耐震シート９２は、ウォーターサーバーの設置時に、他方（載置面側）の粘着面の剥離シートを剥離して粘着面を露出し、テーブル面等の載置面に粘着して固着される。かかる耐震シート９２は、例えば、ゲル状ウレタン樹脂により形成され、直径３ｃｍ程度のものを筐体１０底面の四隅のコーナー部に固着することにより、３０ｋｇ程度の重量のものを載置面に確実に固定して、強力な耐震効果（地震時の横揺れ等によるウォーターサーバー等の支持体の移動防止効果）を発揮するものである。ここで、耐震シート９２は、支持体としてのウォーターサーバーの重量の増減に応じて、その面積（大きさ）及び厚みを増減し、確実にウォーターサーバーに対する耐震効果を付与できるようにする。
【００３８】
図１３は本発明の実施の形態１に係るウォーターディスペンサーで使用する給水源としての小型ボトル（ペットボトル）に小型ボトル用アダプターを装着した状態を示す正面図である。図１４は本発明の実施の形態１に係るウォーターディスペンサーで使用する小型ボトル用アダプターの各部品を示し、（ａ）はアダプターケースの平面図、（ｂ）はアダプターケースの右半部を断面にて示す正面図、（ｃ）は弁体を示す正面図である。図１５は本発明の実施の形態１に係るウォーターディスペンサーで使用する小型ボトル用アダプターの組立状態（使用状態）を示し、（ａ）は弁体を弁座に着座させた非通水状態を示し、（ｂ）は弁体を弁座から離間させた通水状態を示す。図１６は本発明の実施の形態１に係るウォーターディスペンサーで使用する給水源としての中型ボトルに中型ボトル用アダプターを装着した状態を示す正面図である。図１７は本発明の実施の形態１に係るウォーターディスペンサーで使用する中型ボトル用アダプターの組立状態（使用状態）を示し、弁体を弁座に着座させた非通水状態を示す。
【００３９】
実施の形態１に係るウォーターディスペンサーでは、上記のように、一般的なウォーターサーバーで使用される大型の給水ボトル（大型ボトル）ＬＢ（容量１２リットル）を給水源として使用し、差込口本体３０及び給水棒４０に装着して、給水棒４０の給水孔４７から給水を行うことができるが、これ以外にも、中型の給水ボトル（中型ボトル）ＭＢ（容量８リットル）を使用したり（図１８参照）、図１３に示すように、市販の（２リットル、１．５リットル、５００ｍｌ等の任意のサイズの）ペットボトルＰＢの注水口（飲み口）にペットボトル用アダプター１１０を装着することにより、市販のペットボトルＰＢを給水源としての小型の給水ボトル（小型ボトル）として使用することができる。
【００４０】
即ち、実施の形態１のウォーターディスペンサーは、筐体１０の上面に設けられ、少なくとも複数種類の給水源（水道水、浄水器及び給水ボトル）を選択的に連結して、前記給水通路に当該給水源からの給水を供給する給水部（差込口本体３０及び給水棒４０）を備える。詳細には、実施の形態１では、給水源として、大型ボトルＬＢ、中型ボトル及び小型ボトルのいずれかの給水ボトルを選択的に使用自在としている。大型ボトルＬＢは、図示はしないが、一般的なウォーターディスペンサーで使用されるタイプのものであり、先端に円形の開口を形成した所定口径の円筒状をなす注水口を有すると共に、当該注水口の基端外周面に連続してテーパー状の傾斜面（傾斜湾曲面）を形成した大型容器状をなして内部に水を充填し、前記注水口の内部に弁体を軸方向に往復移動自在に装着して前記弁体を前記注水口の内部に向かって軸方向に押圧することにより前記注水口を開放して内部の水を外部に給水するカスタムサイズ（例えば、容量１２リットル）のボトルである。また、中型ボトルは、大型ボトルＬＢの注水口の口径より小さい口径の円筒状をなして先端に円形の開口を形成し、かつ、その外周面に雄ねじを形成した注水口を有すると共に、当該注水口の基端外周面に連続してテーパー状の傾斜面（傾斜湾曲面）を形成した中型容器状をなして内部に水を充填するカスタムサイズ（例えば、容量８リットル）のボトルである。更に、小型ボトルは、中型ボトルＭＢの注水口の口径より小さい口径の円筒状をなして先端に円形の開口を形成し、かつ、その外周面に雄ねじを形成した注水口を有すると共に、当該注水口の基端外周面に連続してテーパー状の傾斜面（傾斜湾曲面）を形成した市販の飲料容器として使用される（ＪＩＳ）標準規格サイズのボトル（ペットボトル）ＰＢである。
【００４１】
かかる複数種類の給水ボトルを使用するため、実施の形態１では、上記のように、筐体１０の上面中央部に装着される差込口本体３０が、大型ボトルＬＢの注水口の外径と同一の内径を有して筐体１０の内部の冷水タンク２３に向かって延びる円筒状をなす小径円筒部３３と、小径円筒部３３の内周面の上端側に連続して一体形成され、給水ボトル（大型ボトルＬＢや中型ボトルＭＢや市販のペットボトル）の傾斜面に対応するテーパー状をなす傾斜面としての傾斜湾曲面３４とを有する。また、差込口本体３０内部に同軸状に配置される給水棒４０が、差込口本体３０の小径円筒部３３より小径で、かつ、大型ボトルＬＢの注水口の先端の円形の開口と同一または若干小さい外径の円筒状をなして、筐体１０の内部の冷水タンク２３に向かって延び、一端に給水孔４７を形成すると共に他端に筐体１０内の冷水タンク２３に対向する開口（挿着凹部４９の下端の円形開口）を形成している。そして、小型ボトル（市販のペットボトル）ＰＢには小型用ボトルアダプター１１０を装着して差込口本体３０に装着し、中型ボトルＭＢには中型用ボトルアダプター１２０を装着して差込口本体３０に装着するようにしている。
【００４２】
具体的は、図１４及び図１５に示すように、小型ボトル用アダプター１１０は、挿着筒部１１１及び嵌合筒部１１２を有する。挿着筒部１１１は、給水棒４０の円筒状の雄ねじ部４３と対応する直径の円筒状をなし、挿着筒部１１１の外周面には雄ねじ１１１ａが形成されている。また、嵌合筒部１１２は、差込口本体３０の小径円筒部３３の内径と同一の外径を有する円筒状をなし、差込口本体３０の小径円筒部３３の内周面３３ａに着脱自在に密嵌されるようになっている。更に、嵌合筒部１１２は、同軸状に小径円筒状の内壁部１１３を有し、内壁部１１３の内周面に雌ねじ１１２ａを形成している。嵌合筒部１１２の内壁部１１３の雌ねじ１１２ａは、小型ボトルＰＢの注水口の外周面の雄ねじ（図示略）を螺入自在であり、小型ボトルＰＢの注水口を嵌合筒部１１２の一端から内壁部１１３の雌ねじ１１２ａに螺入することにより、小型ボトル用アダプター１１０が小型ボトルＰＢの注水口に固定される。一方、挿着筒部１１１は、嵌合筒部１１２の他端（下端）から下方に突出するよう嵌合筒部１１２に一体形成されて、嵌合筒部１１２と同軸状に延びると共に、給水棒４０の差込筒部４４の外径に対応する内径を有する円筒状をなし、その内周面１１１ｂにより給水棒４０を着脱自在に密嵌できるようになっている。小型ボトル用アダプター１１０は、更に、前記内壁部１１３より小径の円筒状をなす挿入部１１４Ｘと前記挿入部１１４Ｘより小径の円筒状をなす案内筒部１１４Ｙとを同軸状に配置すると共に、それらを３個の連結片１１４Ｚにより連結している。挿入部１１４Ｘは、嵌合筒部１１２の一端（上端）から上方に突出するよう嵌合筒部１１２に一体形成されて、嵌合筒部１１２と同軸状に延びると共に、小型ボトルＰＢの注水口内に挿入自在な筒状（より小さい外径の円筒状）をなし、その先端に円形の弁座を形成している。なお、挿着筒部１１１、嵌合筒部１１２、内壁部１１３、挿入部１１４Ｘ、案内筒部１１４Ｙ、連結片１１４Ｚは、ＡＢＳ樹脂等の所定材料により一体形成されている。
【００４３】
更に、小型ボトル用アダプター１１０は、挿入部１１４Ｘの軸心に沿って往復移動自在となるよう、案内筒部１１４Ｙ内に円柱状の芯棒１１５を取付けて、案内筒部１１４Ｙにより芯棒１１５を移動案内するようにしている。また、芯棒１１５の一端（上端）には逆コーン状の（合成ゴムやエラストマー等の弾性材料からなる）弁体１１６が挿着されると共に、芯棒１１５の上端の止部１１５ａにより芯棒１１５に固着され、挿入部１１４Ｘ上端の弁座に着座して挿入部１１４Ｘの内部空間の流水路を水密に閉鎖するようになっている。更に、芯棒１１５の他端（下端）側には弾性体としての押圧コイルスプリング１１７が外嵌して配置されている。押圧コイルスプリング１１７は、図１５（ａ）に示すように、内壁１１３及び案内筒部１１４Ｙ間の下側に一体形成したバネ嵌合部１１４Ｚと、芯棒１１５の下端に形成した円盤状のフランジ部１１５ｂとの間に介装され、常には弁体１１６が挿入部１１４Ｘ上端の弁座に着座するよう、芯棒１１５を介して弁体１１６を付勢している。また、前記挿着筒部１１１の雄ねじ１１１ａには、キャップ１１８が螺合されている。キャップ１１８は、合成ゴムやエラストマー等の弾性材料により形成され、その底壁中央部に円形の開口を有している。キャップ１１８の円形開口は、挿着筒部１１１の内周面１１１ｂの直径（内径）より若干小さい直径を有している。これにより、給水棒４０の差込筒部４４をキャップ１１８の円形開口に押し込むことで、弾性を有するキャップ１１８の円形開口の周縁部が、給水棒４０の差込筒部４４の外周面を水密に封止するようになっている。
【００４４】
また、図１６及び図１７に示すように、中型ボトル用アダプター１２０は、小型ボトル用アダプター１１０と基本的には同一構成であるが、中型ボトルＭＢの注水口の外周面の雄ねじを螺入自在な雌ねじ１２２ａを、内壁部１１３ではなく嵌合筒部１１２の内周面に形成している。これは、中型ボトルＭＢの注水口の口径が小型ボトルＰＢの注水口の口径より大きいことによる。そして、中型ボトルＭＢの注水口を嵌合筒部１１２の一端（上端）から雌ねじ１２２ａに螺入することで、中型ボトル用アダプター１２０が中型ボトルＭＢの注水口に固定される。
【００４５】
実施の形態１において、大型ボトルＬＢの場合は、その注水口の円形の開口から内部に前記給水棒４０の差込筒部４４を差込むことにより、給水棒４０の差込筒部４４の先端の押圧通４５が大型ボトルＬＢの注水口の内部の弁体を押圧して、弁を弁座から離間して前記注水口を開放状態とし、これにより、大型ボトルＬＢの内部の水が給水棒４０の差込筒部４４の給水孔４７から給水棒４０の差込筒部４４内に自重により流入し、給水棒４０から磁気部材５０を介して冷水タンク２３内に自重により流入する。また、中型ボトルＭＢの場合は、その注水口の雄ねじを前記中型ボトル用アダプター１２０の嵌合筒部１１２の雌ねじ１２２ａに螺入することにより、中型ボトルＭＢの注水口に中型ボトル用アダプター１２０を装着して、中型ボトル用アダプター１２０の弁体１１６及び挿入部１１４Ｘ上端の弁座を中型ボトルＭＢの注水口から内部に配置し、中型ボトル用アダプター１２０のキャップ１１８の円形開口から挿着筒部１１１内に給水棒４０の差込筒部４４を挿着することにより、給水棒４０の先端の押圧部４５によって中型ボトル用アダプター１２０の芯棒１１５の基端のフランジ部１１５ｂを押圧して、芯棒１１５を弾性体としての押圧コイルスプリング１１７の付勢力に抗して軸方向に移動することにより、中型ボトル用アダプター１２０の弁体１１５を挿入部１１４Ｘ上端の弁座から離間して開放し、これにより、中型ボトルＭＢの内部の水が給水棒４０の差込筒部４４の給水孔４７から給水棒４０内に自重により流入し、給水棒４０及び磁気部材５０を介して冷水タンク２３内に自重により流入する。更に、小型ボトルＰＢの場合は、その注水口の雄ねじを小型ボトル用アダプター１１０の嵌合筒部１１２の雌ねじ１１２ａに螺入することにより、小型ボトルＰＢの注水口に小型ボトル用アダプター１１０を装着して、小型ボトル用アダプター１１０の弁体１１６及び挿入部１１４Ｘ上端の弁座を小型ボトルＰＢの注水口から内部に配置し、小型ボトル用アダプター１１０のキャップ１１８の円形開口から挿着筒部１１１内に給水棒４０の差込筒部４４を挿着することにより、給水棒４０の先端の押圧部４５によって小型ボトル用アダプター１１０の芯棒１１５の基端のフランジ部１１５ｂを押圧して、芯棒１１５を弾性体としての押圧コイルスプリング１１７の付勢力に抗して軸方向に移動することにより、小型ボトル用アダプター１１０の弁体１１６を挿入部１１４Ｘ上端の弁座から離間して開放し、これにより、小型ボトルＰＢの内部の水が給水棒４０の差込筒部４４の給水孔４８から給水棒４０内に自重により流入し、給水棒４０及び磁気部材５０を介して冷水タンク２３内に自重により流入する。なお、大型ボトルＬＢ、中型ボトルＭＢ、小型ボトルＰＢは、容量は大きく異なるが、それらの注水口周辺の傾斜湾曲面の曲率には大きな差はないため、差込口本体３０の傾斜湾曲面３４は、大型ボトルＬＢ、中型ボトルＭＢ、小型ボトルＰＢの注水口周辺の傾斜湾曲面とほぼ対応する傾斜湾曲面となる。なお、傾斜湾曲面の変わりに直線的な傾斜面を設けてもよい。ここで、実施の形態１では、前記差込口本体３０及び給水棒４０により、筐体１０の上面に設けられ、少なくとも複数種類の給水源を選択的に連結して、給水通路に当該給水源からの給水を供給する給水部が構成されている。
【００４６】
図１８は本発明の実施の形態１に係るウォーターディスペンサーの貯水部材を使用してウォーターディスペンサーを浄水器に接続した状態を示す説明図である。実施の形態１に係るウォーターディスペンサーは、図１８に示すように、貯水部材２１０を備えるよう構成し、水栓２５０からの水道水を浄水器２８０により浄水として、その浄水を貯水部材２１０により差込口本体３０内に導入して貯水するようにすることもできる。具体的には、貯水部材２１０は、蓋部２１１及び嵌合部２１２、導水部２１３、フロート２１４及び制御回路（図示略）を含む。嵌合部２１２は、蓋部２１１の下面に一体形成した短円筒状をなし、差込口本体３０の上端の円形開口と同一の外径を有する。そして、嵌合部２１２を差込口本体３０の上端の円形開口に嵌合することにより、蓋部２１１が差込口本体３０の上端の円形開口に着脱自在に固定されて当該円形開口を閉塞する。また、導水部２１３は、蓋部２１１に設けられて導水管（ホース等）２８５を連結する。更に、導水部２１３は、導水管２８５からの流水を選択的に導入及び遮断するよう開閉制御される弁部材（図示略）を内装している。更に、フロート２１４は、蓋部２１１の内面（下面）側に取付けられて上下方向に傾動自在となり、フロート２１４の傾動状態に応じて、制御回路が導水部２１３の弁部材の開閉を制御する。そして、給水栓２５０の吐水口２５１に切替コック２６０を接続し、切替コック２６０の浄水器側吐水口２６１にホース等の導水管２７５の一端を接続すると共に、導水管２７５の他端を減圧弁２７０の流入口（一次側）に接続する。また、減圧弁２７０の流出口（二次側）にホース等の導水管２７６の一端を接続すると共に、導水管２７６の他端を浄水器２８０の原水給水口２８１に接続する。更に、浄水器２８０の浄水吐水口２８２にホース等の導水管２８５の一端を接続し、導水管２８５の他端を貯水部材２１０の導水部２１３に接続する。このように、貯水部材２１０の導水部２１３に導水管２８５を介して浄水器２８０の浄水吐水口２８２を接続することにより、給水源として、浄水器２８０からの浄水を使用することができる。
【００４７】
即ち、まず、貯水部材２１０の蓋部２１１下面のリング状の嵌合突起２１２をウォーターディスペンサーの差込口本体３０の上端の円形開口に嵌合して固定する。これにより、蓋部２１１が差込口本体３０の上端の円形開口を完全に閉塞し、外部からのほこり等の侵入を確実に防止する。この状態で、給水栓２５０を開栓すると共に切替コック２６０のレバー２６２を切替えて、給水栓２５０の吐水口２５１からの水道水を、切替コック２６０の浄水器側吐水口２６１から導水管２７５を経て減圧弁２７０に供給し、減圧弁２７０により原水圧力を所定圧（０．３ＭＰａ）に減圧した後、導水管２７６から浄水器２８０に給水する。そして、浄水器２８０による浄水を導水管２８５から貯水部材２１０の導水部２１３に供給する。すると、貯水部材２１０の導水部２１３から浄水が差込口本体３０の内部に流下して貯留され、差込口本体３０の内部の水位が給水棒４０の差込筒部４４の給水孔４７に達したときに、差込筒部４４の給水孔４７から給水棒４０の内部に流入し、給水棒４０から磁気部材５０を経て冷水タンク２３内に流下する。一方、浄水器２８０からの浄水がウォーターディスペンサーの差込口本体３０の内部に所定水位（満水位）まで貯留されたときには、貯水部材２１０のフロート２１４が所定の傾動状態（上方位置）となることで、貯水部材の制御回路により導水部２１３の弁部材を閉じて、浄水器２８０からの浄水を自動的に遮断して止水する。一方、差込口本体３０の内部の水位が基準水位（例えば、給水棒４０の給水孔４８の位置）より低くなると、貯水部材２１０のフロート２１４が所定の傾動状態（下方位置）となることで、貯水部材の制御回路により導水部２１３の弁部材が開かれ、浄水器２８０からの浄水が導水部２１３から自動的に吐水される。なお、上記と同様にして、給水栓２５０からの原水を直接貯水部材２１０の導水部２１３に導入し、ウォーターディスペンサーに供給することもできる。このように、実施の形態１では、貯水部材２１０の導水部２１３に導水管２８５を介して給水栓２５０の吐水口２５１または浄水器２８０の浄水吐水口２８２を接続することにより、給水源として、水道管からの水道水及び浄水器からの浄水のいずれかを選択的に使用自在となる。そして、水道管からの水道水及び浄水器からの浄水がウォーターディスペンサーの差込口本体３０の内部に所定水位貯留されたときに、貯水部材２１０のフロート２１４が所定の傾動状態となることで前記制御回路により導水部２１３の弁部材を閉じて、水道管からの水道水及び浄水器からの浄水を遮断する。
【００４８】
図１９は本発明の実施の形態１に係るウォーターディスペンサーの給水ボトルに給水栓から水道水を充填する場合を示す説明図である。図１９に示すように、実施の形態１に係るウォーターディスペンサーは、更に、給水ボトルとしての中型ボトルＭＢ等の内部に投入される脱塩素剤カートリッジ（アルカリカートリッジ）１５１及びミネラル剤カートリッジ１５２を備えている。脱塩素剤カートリッジ（アルカリカートリッジ）１５１は、蓋部を有する透水性の円筒体であり、その内部には多数の（球状等の）小さい（脱塩素剤やアルカリ成分を含侵した）アルカリセラミックボール２８６が充填されている。また、ミネラル剤カートリッジ１５２は、蓋部を有する透水性の円筒体であり、その内部には多数の（球状等の）小さい（ビタミン等を含侵した）ミネラルセラミックボール２８７が充填されている。そして、中型ボトルＭＢまたは小型ボトルＰＢ等の給水ボトルの内部に、脱塩素剤カートリッジ及びミネラル剤カートリッジの少なくともいずれか一つを投入した状態で、給水栓２５０の吐水口２５１からの水道水を給水ボトルの注水口から内部に充填する。これにより、給水ボトル内において、効果的に水道水の脱塩素を行い、また、ミネラル分抽出（水中への放散）を行うことができる。更に、この状態で、中型ボトルＭＢまたは小型ボトルＰＢの注水口に中型ボトル用アダプター１２０または小型ボトル用アダプター１１０を装着し、当該中型ボトル用アダプター１２０または小型ボトル用アダプター１１０を介して中型ボトルＭＢまたは小型ボトルＰＢを差込口本体３０内に装着する。なお、脱塩素剤カートリッジ１５１及びミネラル剤カートリッジ１５２は、図１に示すように、大型ボトルＬＢに投入してもよい。
【図面の簡単な説明】
【００４９】
【図１】図１は本発明の実施の形態１に係るウォーターディスペンサーの外観（給水ボトルの装着状態）を示す正面図である。
【図２】図２は本発明の実施の形態１に係るウォーターディスペンサーの内部構成を示す（一部を破断した）正面図である。
【図３】図３は本発明の実施の形態１に係るウォーターディスペンサーの差込口本体に給水棒を装着した状態を示す正面図である。
【図４】図４は本発明の実施の形態１に係るウォーターディスペンサーの給水棒及び磁気部材の分解状態を示す正面図である。
【図５】図５は本発明の実施の形態１に係るウォーターディスペンサーの磁気部材を示し、（ａ）は正面図、（Ｂ）は側面図、（ｃ）は平面図、（ｄ）は上面左側から見た斜視図、（ｅ）は上面右側から見た斜視図、（ｆ）は下面左側から見た斜視図、（ｇ）は下面右側から見た斜視図である。
【図６】図６は本発明の実施の形態１に係るウォーターディスペンサーの給水棒に磁気部材を装着した状態を下面側から見て示す斜視図である。
【図７】図７は本発明の実施の形態１に係るウォーターディスペンサーの差込口本体及び給水棒の分解状態を示す正面図である。
【図８】図８は本発明の実施の形態１に係るウォーターディスペンサーの給水棒に磁気部材を装着し、差込口本体にかかる給水棒を装着した状態を示す断面図である。
【図９】図９は本発明の実施の形態１に係るウォーターディスペンサーの分水盤に抗菌ケースを装着した状態を示し、（ａ）は抗菌ケースの蓋を取外して内部の抗菌剤を示す平面図、（ｂ）は抗菌剤の蓋を取外した状態を示す正面図である。
【図１０】図１０は本発明の実施の形態１に係るウォーターディスペンサーの分水盤に抗菌ケースを装着した状態を示す断面図である。
【図１１】図１１は本発明の実施の形態１に係るウォーターディスペンサーの冷水ボタン及び温水ボタン部分を示す平面図である。
【図１２】図１２は本発明の実施の形態１に係るウォーターディスペンサーの支持脚を示し、（ａ）は平面図、（ｂ）は断面図、（ｃ）は底面図である。
【図１３】図１３は本発明の実施の形態１に係るウォーターディスペンサーで使用する給水源としての小型ボトル（ペットボトル）に小型ボトル用アダプターを装着した状態を示す正面図である。
【図１４】図１４は本発明の実施の形態１に係るウォーターディスペンサーで使用する小型ボトル用アダプターの各部品を示し、（ａ）はアダプターケースの平面図、（ｂ）はアダプターケースの右半部を断面にて示す正面図、（ｃ）は弁体を示す正面図である。
【図１５】図１５は本発明の実施の形態１に係るウォーターディスペンサーで使用する小型ボトル用アダプターの組立状態（使用状態）を示し、（ａ）は弁体を弁座に着座させた非通水状態を示し、（ｂ）は弁体を弁座から離間させた通水状態を示す。
【図１６】図１６は本発明の実施の形態１に係るウォーターディスペンサーで使用する給水源としての中型ボトルに中型ボトル用アダプターを装着した状態を示す正面図である。
【図１７】図１７は本発明の実施の形態１に係るウォーターディスペンサーで使用する中型ボトル用アダプターの組立状態（使用状態）を示し、弁体を弁座に着座させた非通水状態を示す。
【図１８】図１８は本発明の実施の形態１に係るウォーターディスペンサーの貯水部材を使用してウォーターディスペンサーを浄水器に接続した状態を示す説明図である。
【図１９】図１９は本発明の実施の形態１に係るウォーターディスペンサーの給水ボトルに給水栓から水道水を充填する場合を示す説明図である。
【符号の説明】
【００５０】
１０：筐体、２３：冷水タンク、２７：温水タンク
３０：差込口本体、３３：小径円筒部（円頭部）、３４：傾斜湾曲面（傾斜面）
４０：給水棒、４４：差込筒部、４７：給水孔
５０：磁気部材、５２：通水路、５４：保持凹部、５５：磁石
６０：分水盤、６２：トレイ部、６５：隔壁、６７：導水孔、６８：導水筒部
７０：抗菌ケース、７３：抗菌剤、９２：耐震シート
１１０：小型ボトル用アダプター、１１１：挿着筒部、１１２：嵌合筒部
１１２ａ：雌ねじ、１１４Ｘ：挿入部、１１５：芯棒、１１６：弁体
１１７：押圧コイルスプリング（弾性体）、
１２０：中型ボトル用アダプター、１２２ａ：雌ねじ
１５１：脱塩素剤カートリッジ、１５２：ミネラル剤カートリッジ
２１０：貯水部材、２１１：蓋部、２１３：導水部、２１４：フロート
ＬＢ：大型ボトル、ＭＢ：中型ボトル、ＰＢ：小型ボトル
【図１】
2007254022.tif 000003
【図２】
2007254022.tif 000004
【図３】
2007254022.tif 000005
【図４】
2007254022.tif 000006
【図５】
2007254022.tif 000007
【図６】
2007254022.tif 000008
【図７】
2007254022.tif 000009
【図８】
2007254022.tif 000010
【図９】
2007254022.tif 000011
【図１０】
2007254022.tif 000012
【図１１】
2007254022.tif 000013
【図１２】
2007254022.tif 000014
【図１３】
2007254022.tif 000015
【図１４】
2007254022.tif 000016
【図１５】
2007254022.tif 000017
【図１６】
2007254022.tif 000018
【図１７】
2007254022.tif 000019
【図１８】
2007254022.tif 000020
【図１９】
2007254022.tif 000021